(57)【特許請求の範囲】
【請求項１】
浴室の天井に設置され、前記浴室を含む複数の部屋の換気が可能な浴室換気装置において、
トイレ内に連通する第１吸気口と、
前記浴室内に連通する第２吸気口と、
屋外へ連通する排気口と、
前記第１吸気口と前記排気口とを連絡する第１排気風路と、
前記第２吸気口と前記排気口とを連絡する第２排気風路と、
前記排気口と屋外とを連絡する排気ダクトと、
前記第１吸気口より前記トイレ内の空気を吸引し、前記第１排気風路を介して前記排気口に吹き出す第１送風機と、
前記第２吸気口より前記浴室内の空気を吸引し、前記第２排気風路を介して前記排気口に吹き出す第２送風機と、
前記第１及び第２送風機の駆動を制御する制御部と、
を備え、
前記制御部は、前記第１及び第２送風機を同時に駆動させるときには、前記第１及び第２排気風路内の圧力が略同一となるよう前記送風機を駆動させることを特徴とする浴室換気装置。
【請求項２】
前記制御部は、前記排気ダクト内の背圧に基づいて前記第１及び第２送風機の駆動を制御することを特徴とする請求項１記載の浴室換気装置。
【発明の詳細な説明】
【０００１】
【発明の属する技術分野】
本発明は、主に浴室などの天井や天井裏などに設置されて、室内の空気を換気するための送風機と複数の部屋から吸気するための吸気口と室外に空気を排気する排気口とを備えた浴室換気装置に関する。
【０００２】
【従来の技術】
従来、この種の浴室換気装置は、装置本体の側面に、複数の吸気口を備え、例えば、浴室、洗面所、トイレ等の複数の部屋の空気を換気することにより、浴室内や洗面所内の湿気、トイレ内の臭気を外に排気する、いわゆる換気運転を備えたものが知られている。
【０００３】
【発明が解決しようとする課題】
しかしながら、上記従来のものでは、トイレと浴室及び洗面所との換気風路が、共通であったため、トイレの臭いが浴室に流れたり、浴室からの湿気がトイレに流れ込んで結露する等の問題が生じていた。
【０００４】
また、トイレと浴室及び洗面所を１つの送風機にて、前記３室を同時に換気する構成の場合では、入浴時に換気する必要がなくても、トイレ使用時にトイレ換気すると、浴室も同時に換気してしまうため、入浴時に肌寒くなる等の問題もあった。
【０００５】
更に、複数の部屋を同時に換気するので、風量が概して大きくなり騒音も大きくなる等の問題もあった。
【０００６】
本発明は、上記課題を解決するためになされたもので、本発明の目的は、複数の部屋を換気するにあたり、トイレからの浴室内への臭いの流入や浴室の不必要の換気を防止でき、また、騒音を低減することができる浴室換気装置を提供することにある。
【０００７】
【課題を解決するための手段及び作用・効果】
上記目的を達成するために本発明においては、浴室の天井に設置され、浴室を含む複数の部屋の換気が可能な浴室換気装置において、トイレ内に連通する第１吸気口と、浴室内に連通する第２吸気口と、屋外へ連通する排気口と、第１吸気口と排気口とを連絡する第１排気風路と、第２吸気口と排気口とを連絡する第２排気風路と、排気口と屋外とを連絡する排気ダクトと、第１吸気口よりトイレ内の空気を吸引し、第１排気風路を介して排気口に吹き出す第１送風機と、第２吸気口より浴室内の空気を吸引し、第２排気風路を介して排気口に吹き出す第２送風機と、第１及び第２送風機の駆動を制御する制御部と、を備え、制御部は、第１及び第２送風機を同時に駆動させるときには、第１及び第２排気風路内の圧力が略同一となるよう送風機を駆動させることを特徴としている。
【０００８】
従って、このように構成することにより、それぞれの風路に配設したファンを駆動すれば、トイレの臭いが浴室に流れ込まずに屋外に排気することができ、また、浴室内の湿気がトイレに流れ込まないので結露を生じさせずに快適に換気することができる。
【０００９】
また、本発明は、排気ダクト内の背圧に基づいて第１及び第２送風機の駆動を制御するよう構成してもよい。これにより、排気ダクト内からの空気の逆流を防止することができる。
【００２７】
【発明の実施の形態】
以下に、本発明の実施の形態を添付図面に基づいて説明する。
【００２８】
図１は、本発明の一実施形態に係る浴室換気装置の設置例を示す平面図であり、
図２は、本発明の浴室換気装置の第１実施例を示す断面図、図３は、本発明の浴室換気装置の第１実施例を示す平面図である。
【００２９】
図１に示すように、浴室換気装置は、浴室Ａの天井１０裏に設置されており、装置本体１の側面に設けた第１吸気口８が、トイレＣの天井にトイレＣ内を臨むように開口して設けられたトイレ用吸込口１７と吸気ダクト２４を介して接続されている。同様に、本体１の側面に設けた第３吸気口２３が、洗面所Ｂの天井に洗面所Ｂ内を臨むように開口して設けられた洗面所用吸込口１５と吸気ダクト２５を介して接続されている。
【００３０】
また、本体１の他側面に設けた第１排気口３１が、屋外に連通する排気ダクト４０に接続されおり、更に、洗面所Ｂ内及びトイレＣ外の適所には、浴室Ａ、洗面所Ｂ、トイレＣの換気運転のオン・オフ等を制御する遠隔操作部（以下リモコンという）４１、４３が備えられ、信号線４５、４７により本体１の制御部（図示せず）に接続されている。
【００３１】
図２に示すように、本体１は天井１０の開口２０を介して設けられており、その下部には浴室Ａ内に臨んで化粧パネル１１が設けられている。また、本体１内部には、その上部に、第１吸気口８から第１排気口３１に至る第１の排気風路１８が形成されており、第１送風ファン１２と第１モータ２とからなる第１送風機３が備えられている。また、第１の排気風路１８の第１排気口３１近傍には、第１の排気風路１８を開閉する開閉手段であるシャッター６０が設けられている。
【００３２】
更に、本体１内部には、その下部に、第３吸気口２３及び化粧パネル１１に開口した第２吸気口９から第１排気口３１に至る第２の排気風路１９が形成されており、第２の排気風路１９には、第２送風ファン１３と第２モータ４とからなる第２送風機５が備えられている。
【００３３】
また、第２の排気風路１９とは別に、化粧パネル１１に開口した第４吸気口２１から化粧パネル１１に開口した吹出し口５１に至る循環風路２２を形成しており、循環風路２２には、第３送風ファン１４と第３モータ６とからなる第３送風機７及び吹出し口５１近傍に加熱手段であるヒーター５０を配設している。
【００３４】
尚、図３に示すように、第１排気口３１とは別の本体１側面に、第２排気口３２を設けて、第１、第２排気口３１、３２のいずれかを選択して排気ダクト４０と接続するようにしてもよく（使用しない排気口は塞ぎ部材等により蓋をする）、このように構成すれば、設置現場のレイアウトに応じた配管工事が可能になり、配管施工を簡単に行うことができる。また、第１吸気口８の他に、本体１側面に第１の排気風路１８に連通する第７吸気口２８を設けたり、第３吸気口２３の他に、本体１側面に第２の排気風路１９に連通する第５吸気口２６、第６吸気口２７を設けて、設置現場のレイアウトに応じて、例えば、第７吸気口２８には吸気ダクト２４を、第５吸気口２６には吸気ダクト２５を接続するようにしてもよく（使用しない吸気口は塞ぎ部材等により蓋をする）、このようにすれば、配管施工を簡単に行うことができる。または、第１吸気口８に吸気ダクト２４を接続するとともに第７吸気口２８にトイレＣ以外の部屋に連通した吸気ダクトに接続したり、第３吸気口２３に吸気ダクト２５を接続するとともに第５吸気口２６、第６吸気口２７に洗面所Ｂ以外の部屋に連通した吸気ダクトに接続して、居室全体を換気するようにしてもよい。
【００３５】
また、図２に示すように、第２の排気風路１９に配設した第２送風ファン１３、循環風路２２に配設した第３送風ファン１４のそれぞれを駆動する第２モータ４、第３モータ６を、第１の排気風路１８に配設してもよく、このように構成すれば、第１の排気風路１８内を流れる空気により第２、第３モータ４、６を冷却することができ、第２、第３モータ４、６の耐久性を向上することができる。また、第２、第３モータ４、６と接触することにより熱交換された温かい空気が、屋外に連通する排気ダクト４０内を通過することで、排気ダクト４０内の結露の発生を低減することができる。
【００３６】
更に、本体１を、第１の排気風路１８を形成する第１ケース８０と第２の排気風路１９及び循環風路２２を形成する第２ケース８１とに分離して、第２ケース８１に対して第１ケース８０を着脱自在に取付けられるように構成してもよく、このように構成すれば、設置現場に応じた浴室換気装置を安価に提供することが可能になる。
【００３７】
図４は、第１実施例の変形例を示す断面図、図５は、シャッターユニットを拡大して示す斜視図であり、上述した第１実施例と同様の構成は同一の符号を付し、その説明は省略する。
【００３８】
図４に示すように、第１の排気風路１８内の第１送風ファン１２は、その回転中心軸線が、第１の排気風路１８内に配設した第３モータ６の略中心軸線上に位置するように配設されている。このように構成すれば、第３モータ６が障害にならず、第１送風ファン１２に流入する空気の流れが円滑になるため、騒音や風量損失が少なくなり、効率のよい排気を行うことができる。尚、第１送風ファン１２は、その回転中心軸線が、第１の排気風路１８内に配設した第２モータ４の略中心軸線上に位置するように配設してもよい。
【００３９】
また、図４及び図５に示すように、シャッター６０、６１を有するシャッターユニット６２を第１排気口３１近傍に設けており、シャッター６０は第１の排気風路１８を開閉し、シャッター６１は第２の排気風路１９を開閉するように構成されている。尚、シャッターユニット６２を構成せずに、第１、第２の排気風路１８、１９のそれぞれに、シャッター６０、６１を配設するようにしてもよい。
【００４０】
図６は、浴室乾燥装置の駆動回路を示すブロック図である。
【００４１】
図６に示すように、リモコン４１の各運転スイッチ４６、４８、４９、５２、５３、５４から入力される信号に基づいて、制御部６３のＣＰＵ６４は第２送風機駆動回路６５、第３送風機駆動回路６６、ヒーター駆動回路６７、第１送風機駆動回路６８を通じて、第２送風機５、第３送風機７、ヒーター５０、第１送風機３に出力される。
【００４２】
以上の構成において、浴室換気装置の動作を以下に詳述する。
【００４３】
トイレＣ外の適所に備えられたリモコン４３のトイレ換気運転スイッチ４６をオン操作すると、第１送風機３が駆動してその第１送風ファン１２により、トイレＣ内の空気がトイレ用吸込口１７から吸気ダクト２４を介して第１吸気口８より吸い込まれ、第１の排気風路１８を通って第１排気口３１から排気ダクト４０を介して屋外に排気される。
【００４４】
この時、シャッター６０は、第１送風ファン１２から吹き出される空気の風圧により開くが、屋外からの外圧に対しては閉じるように構成されており、トイレＣ内への逆流を防止するようになっている。また、何らかの要因で浴室Ａ側よりトイレＣ側が負圧になっても、浴室Ａ内の湿気を含んだ空気がトイレＣ内へ逆流するのを防止することができる。而して、第２、第３送風機５、７は駆動しないので、トイレＣのみの単独換気がなされることになる。
【００４５】
また、洗面所Ｂ内の適所に備えられたリモコン４１の浴室・洗面所換気運転スイッチ４８をオン操作すると、第２送風機５が駆動してその第２送風ファン１３により、浴室Ａ及び洗面所Ｂ内の空気が、化粧パネル１１に開口した第２吸気口９及び洗面所用吸込口１５から吸気ダクト２５を介して第３吸気口２３より吸い込まれ、第２の排気風路１９を通って第１排気口３１から排気ダクト４０を介して屋外に排気される。
【００４６】
この時、図４に示すように、第２の排気風路１９を開閉するシャッター６１を設けていると、シャッター６１は、第２送風ファン１３から吹き出される空気の風圧により開くが、屋外からの外圧に対しては閉じるように構成されているので、浴室Ａ及び洗面所Ｂ内への逆流を防止することができる。また、何らかの要因でトイレＣ側より浴室Ａ又は洗面所Ｂ側が負圧になっても、トイレＣ内の臭気を含んだ空気が浴室Ａ及び洗面所Ｂ内へ逆流するのを防止することができる。而して、第１、第３送風機３、７は駆動しないので、浴室Ａ及び洗面所Ｂの換気がなされることになる。
【００４７】
尚、第２吸気口９を開閉する開閉手段としてのモータ等により駆動するダンパー等（図示せず）を設け、且つ、リモコン４１に浴室換気スイッチ（図示せず）、洗面所換気スイッチ（図示せず）を設けて、浴室換気スイッチをオン操作すると、ダンパーが開いて、上述したと同様に浴室Ａ及び洗面所Ｂの換気がなされるが、洗面所換気スイッチをオン操作すると、ダンパーが閉じて、洗面所Ｂのみの単独換気を行うことができる。
【００４８】
また、第２吸気口９を開閉するダンパーを設けずに、第３吸気口２３を開閉する開閉手段としてのモータ等により駆動するダンパー等（図示せず）を設けるようにしてもよく、このようにすれば、洗面所換気スイッチをオン操作すると、ダンパーが開いて、浴室Ａ及び洗面所Ｂの換気がなされるが、浴室換気スイッチをオン操作すると、ダンパーが閉じて、浴室Ａのみの単独換気を行うことができる。
【００４９】
更に、第２吸気口９と第３吸気口２３とにそれぞれダンパー等を設けるようにしてもよく、このようにすれば、洗面所換気スイッチをオン操作すると、第２吸気口９に設けたダンパーが閉じるとともに第３吸気口２３に設けたダンパーが開いて、洗面所Ｂのみの単独換気が行え、浴室換気スイッチをオン操作すると、第３吸気口２３に設けたダンパーが閉じるとともに第２吸気口９に設けたダンパーが開いて、浴室Ａのみの単独換気を行うことができる。
【００５０】
更にまた、浴室・洗面所換気スイッチを設けるようにして、浴室・洗面所換気スイッチをオン操作すると、第２吸気口９及び第３吸気口２３に設けたダンパーが共に開き、浴室Ａ及び洗面所Ｂの同時換気を行うようにすることもできる。
【００５１】
また、洗面所Ｂ内のリモコン４１の涼風運転スイッチ５３をオン操作すると、第２、第３送風機５、７が駆動してその第２、第３送風ファン１３、１４により、浴室Ａ内の空気の一部が第２吸気口９から吸い込まれ、第２の排気風路１９を通って第１排気口３１から排気ダクト４０を介して屋外に排気されるとともに、浴室Ａ内の空気の一部が第４吸気口２１から吸い込まれて、化粧パネル１１に開口した吹出し口５１から浴室Ａ内に吹き出される。この時、ヒーター５０には通電されていないので、涼風が浴室Ａ内に吹き出されることになる。
【００５２】
更に、洗面所Ｂ内のリモコン４１の暖房運転スイッチ４９をオン操作すると、第３送風機７が駆動してその第３送風ファン１４により、浴室Ａ内の空気が化粧パネル１１に開口した第４吸気口２１から吸い込まれて、化粧パネル１１に開口した吹出し口５１から浴室Ａ内に吹き出される。この時、ヒーター５０は通電されているので、ヒーター５０により熱交換された空気が温風となって浴室Ａ内に吹き出され、浴室Ａが暖房されることになる。
【００５３】
また、洗面所Ｂ内のリモコン４１の乾燥運転スイッチ５２をオン操作すると、第２、第３送風機５、７が駆動してその第２、３送風ファン１３、１４により、浴室Ａ内の空気の一部が第２吸気口９から吸い込まれ、第２の排気風路１９を通って第１排気口３１から排気ダクト４０を介して屋外に排気されるとともに、浴室Ａ内の空気の一部が第４吸気口２１から吸い込まれて、ヒーター５０により温風となって浴室Ａ内に吹き出され、浴室Ａ内に干された衣類等の乾燥が行われることになる。
【００５４】
また、洗面所Ｂ内のリモコン４１の常時換気運転スイッチ５４をオン操作すると、第１、第２送風機３、５が駆動してその第１、第２送風ファン１２、１３により、トイレＣ内の空気がトイレ用吸込口１７から吸気ダクト２４を介して第１吸気口８より吸い込まれるとともに、浴室Ａ内の空気が第２吸気口９から吸い込まれ、第１、第２の排気風路１８、１９を通って第１排気口３１から排気ダクト４０を介して屋外に連続的に排気される。
【００５５】
この時、排気ダクト４０により圧力損失が加わるため、排気ダクト４０内部の背圧により圧力の低いほうに逆流が発生する。そこで、この逆流の発生を防止するため、制御部６３のＣＰＵ６４には、予定される背圧が予め計算されて入力されており、第１、第２の排気風路１８、１９内が略同じ圧力になるように第１、第２送風機３、５への出力を制御するようにしている。
【００５６】
図７は、本発明の浴室換気装置の第２実施例を示す断面図であり、上述した第１実施例と同様の構成は同一の符号を付し、その説明は省略する。
【００５７】
図７に示すように、この第２実施例は、上述した第１実施例の専用の循環用の第３送風機をなくして構成したものである。
【００５８】
即ち、本体１の第２ケース８１内に、第３吸気口２３及び化粧パネル１１に開口した第２吸気口９から第１排気口３１に至る第２の排気風路１９と、第２吸気口９から化粧パネル１１に開口した吹出し口５１に至る循環風路２２とを形成し、第２の排気風路１９又は循環風路２２を選択するための風路選択手段であるダンパー７０を設けるとともに第２送風機５を設けている。
【００５９】
尚、図４に示す変形例と同様に、第１送風ファン１２は、その回転中心軸線が、第１の排気風路１８内に配設した第２モータ４の略中心軸線上に位置するように配設してもよい。また、シャッター６０、６１を有するシャッターユニット６２を第１排気口３１近傍に設けたり、又は第２の排気風路１９に、シャッター６１を配設するようにしてもよい。
【００６０】
上記した構成において、リモコン４３のトイレ換気運転スイッチ４６をオン操作すると、第１送風機３が駆動してその第１送風ファン１２により、トイレＣ内の空気がトイレ用吸込口１７から吸気ダクト２４を介して第１吸気口８より吸い込まれ、第１の排気風路１８を通って第１排気口３１から排気ダクト４０を介して屋外に排気され、トイレＣのみの単独換気が行われる。
【００６１】
また、リモコン４１の浴室・洗面所換気運転スイッチ４８をオン操作すると、ダンパー７０がモータ等により駆動して循環風路２２を閉じるとともに第２送風機５が駆動してその第２送風ファン１３により、浴室Ａ及び洗面所Ｂ内の空気が、第２吸気口９及び洗面所用吸込口１５から吸気ダクト２５を介して第３吸気口２３より吸い込まれ、第２の排気風路１９を通って第１排気口３１から排気ダクト４０を介して屋外に排気され、浴室Ａ及び洗面所Ｂの換気が行われる。尚、上述した第１実施例と同様に、第２吸気口９又は第３吸気口２３若しくはそれぞれにダンパー等を設けて、洗面所Ｂのみの単独換気、浴室Ａのみの単独換気、浴室Ａ及び洗面所Ｂの同時換気を行うようにしてもよい。
【００６２】
また、リモコン４１の涼風運転スイッチ５３をオン操作すると、ダンパー７０が駆動して第２の排気風路１９を閉じるとともに第２送風機５が駆動してその第２送風ファン１３により、浴室Ａ内の空気が第２吸気口９から吸い込まれて、吹出し口５１から浴室Ａ内に吹き出される。この時、ヒーター５０には通電されていないので、涼風が浴室Ａ内に吹き出されることになる。
【００６３】
また、リモコン４１の暖房運転スイッチ４９をオン操作すると、ダンパー７０が駆動して第２の排気風路１９を閉じるとともに第２送風機５が駆動してその第２送風ファン１３により、浴室Ａ内の空気が第２吸気口９から吸い込まれて吹出し口５１から浴室Ａ内に吹き出される。この時、ヒーター５０は通電されているので、ヒーター５０により熱交換された空気が温風となって浴室Ａ内に吹き出され、浴室Ａが暖房される。
【００６４】
また、リモコン４１の乾燥運転スイッチ５２をオン操作すると、ダンパー７０が駆動して第２の排気風路１９と循環風路２２を共に開通させる位置に移動するとともに、第２送風機５が駆動してその第２送風ファン１３により、浴室Ａ内の空気が第２吸気口９から吸い込まれ、その空気の一部が第２の排気風路１９を通って第１排気口３１から排気ダクト４０を介して屋外に排気されるとともに、空気の一部がヒーター５０により温風となって浴室Ａ内に吹き出され、浴室Ａ内に干された衣類等の乾燥が行われる。
【００６５】
また、リモコン４１の常時換気運転スイッチ５４をオン操作すると、ダンパー７０が駆動して循環風路２２を閉じるとともに第１、第２送風機３、５が駆動して、その第１、第２送風ファン１２、１３により、トイレＣ内の空気がトイレ用吸込口１７から吸気ダクト２４を介して第１吸気口８より吸い込まれるとともに、浴室Ａ内の空気が第２吸気口９から吸い込まれ、第１、第２の排気風路１８、１９を通って第１排気口３１から排気ダクト４０を介して屋外に連続的に排気される。
【００６６】
図８は、本発明の浴室換気装置の第３実施例を示す断面図であり、上述した第１、第２実施例と同様の構成は同一の符号を付し、その説明は省略する。
【００６７】
図８に示すように、この第３実施例は、上述した第２実施例の第２送風機５の第２送風ファン１３を２つのファンで構成したものである。
【００６８】
即ち、第２送風ファン１３を第１ファン７４と第２ファン７５で形成し、各第１、第２ファン７４、７５を１つの第２モータ４で駆動するように構成している。また、本体１の第２ケース８１内には、第２の排気風路１９に隔壁７１を設けて第１風路７２と第２風路７３を形成し、第１風路７２と第２風路７３と循環風路２２を選択する風路選択手段であるダンパー９０を設けている。そして、各第１、第２風路７２、７３に第１、第２ファン７４、７５をそれぞれ配設している。
【００６９】
尚、本実施例の場合も図４に示す変形例と同様に、第１送風ファン１２は、その回転中心軸線が、第１の排気風路１８内に配設した第２モータ４の略中心軸線上に位置するように配設してもよい。また、シャッター６０、６１を有するシャッターユニット６２を第１排気口３１近傍に設けたり、又は第２の排気風路１９に、シャッター６１を配設するようにしてもよい。
【００７０】
上記した構成において、リモコン４３のトイレ換気運転スイッチ４６をオン操作すると、第１送風機３が駆動してその第１送風ファン１２により、トイレＣ内の空気がトイレ用吸込口１７から吸気ダクト２４を介して第１吸気口８より吸い込まれ、第１の排気風路１８を通って第１排気口３１から排気ダクト４０を介して屋外に排気され、トイレＣのみの単独換気が行われる。
【００７１】
また、リモコン４１の浴室・洗面所換気運転スイッチ４８をオン操作すると、ダンパー９０がモータ等により駆動して循環風路２２を閉じるとともに第２送風機５が駆動してその第１、第２ファン７４、７５により、浴室Ａ及び洗面所Ｂ内の空気が、第２吸気口９及び洗面所用吸込口１５から吸気ダクト２５を介して第３吸気口２３より吸い込まれ、第１風路７２、第２風路７３から第２の排気風路１９を通って第１排気口３１から排気ダクト４０を介して屋外に排気され、浴室Ａ及び洗面所Ｂの換気が行われる。ここで、洗面所Ｂの換気は第１ファン７４により換気され、浴室Ａの換気は第２ファン７５により換気されるよう作用する。尚、第３吸気口２３を開閉する開閉手段としてのモータ等により駆動するダンパー等（図示せず）を設けて、浴室換気スイッチをオン操作すると、ダンパーにより第３吸気口２３を閉じるとともにダンパー９０を駆動して循環風路２２を閉じ、第２ファン７５の駆動により浴室Ａのみの単独換気が行えるようにしたり、洗面所換気スイッチをオン操作すると、ダンパーにより第３吸気口２３を開くとともにダンパー９０を駆動して第２風路７３から第２の排気風路１９に至る風路を閉じ、第１ファン７４の駆動により洗面所Ｂのみの単独換気が行えるようにしてもよい。
【００７２】
また、リモコン４１の涼風運転スイッチ５３をオン操作すると、ダンパー９０が駆動して第２風路７３から第２の排気風路１９に至る風路と循環風路２２を共に開通させる位置に移動するとともに、第２送風機５が駆動してその第１、第２ファン７４、７５により、浴室Ａ及び洗面所Ｂ内の空気が、第２吸気口９及び洗面所用吸込口１５から吸気ダクト２５を介して第３吸気口２３より吸い込まれて、第１風路７２、第２風路７３から第２の排気風路１９を通って第１排気口３１から排気ダクト４０を介して屋外に排気され、浴室Ａ内の空気の一部が吹出し口５１から浴室Ａ内に吹き出される。この時、ヒーター５０には通電されていないので、涼風が浴室Ａ内に吹き出されることになる。
【００７３】
また、リモコン４１の暖房運転スイッチ４９をオン操作すると、ダンパー９０が駆動して第２風路７３から第２の排気風路１９に至る風路を閉じるとともに第２送風機５が駆動してその第２ファン７５により、浴室Ａ内の空気が第２吸気口９から吸い込まれて吹出し口５１から浴室Ａ内に吹き出される。この時、ヒーター５０は通電されているので、ヒーター５０により熱交換された空気が温風となって浴室Ａ内に吹き出され、浴室Ａが暖房される。
【００７４】
また、リモコン４１の乾燥運転スイッチ５２をオン操作すると、ダンパー９０が駆動して第２風路７３から第２の排気風路１９に至る風路と循環風路２２を共に開通させる位置に移動するとともに、第２送風機５が駆動してその第２ファン７５により、浴室Ａ内の空気が第２吸気口９から吸い込まれ、その空気の一部が第２風路７３から第２の排気風路１９を通って第１排気口３１から排気ダクト４０を介して屋外に排気されるとともに、空気の一部がヒーター５０により温風となって吹出し口５１から浴室Ａ内に吹き出され、浴室Ａ内に干された衣類等の乾燥が行われる。
【００７５】
また、リモコン４１の常時換気運転スイッチ５４をオン操作すると、ダンパー９０が駆動して循環風路２２を閉じるとともに第１送風機３が駆動して、その第１送風ファン１２により、トイレＣ内の空気がトイレ用吸込口１７から吸気ダクト２４を介して第１吸気口８より吸い込まれ、また、第２送風機５が駆動して、その第１、第２ファン７４、７５により、浴室Ａ及び洗面所Ｂ内の空気が、第２吸気口９及び洗面所用吸込口１５から吸気ダクト２５を介して第３吸気口２３より吸い込まれて、第１の排気風路１８及び第１風路７２、第２風路７３から第２の排気風路１９を通って第１排気口３１から排気ダクト４０を介して屋外に連続的に排気される。
【００７６】
上述した内容はあくまで本発明の一実施形態に関するものであって、本発明が上記内容のみに限定されることを意味されるものではない。例えば、第１吸気口８にトイレ用吸込口１７に連通した吸気ダクト２４を、第３吸気口２３に洗面所用吸込口１５に連通した吸気ダクト２５をそれぞれ接続するようにしたが、トイレＣや洗面所Ｂ以外の部屋に連通した吸気ダクトを接続するようにしてもよい。
【００７７】
また、第１排気口３１又は第２排気口３２を、第１、第２の排気風路１８、１９と連通した共通の排気口としたが、第１、第２の排気風路１８、１９に連通する独立した排気口をそれぞれ設けて各排気口に排気ダクトを接続するようにしてもよい。
【００７８】
更に、洗面所Ｂのみの単独換気を行うときは、浴室Ａのドアの空気取り入れ口（ガラリ）を開閉する開閉手段を設けて、洗面所換気スイッチのオン操作に連動してこの開閉手段により空気取り入れ口を閉じるようにして、浴室Ａからの湿気を含んだ空気が洗面所Ｂ内に流れ込まないようにするとよい。
【００７９】
また、第１、第２の排気風路１８、１９、循環風路２２の少なくともいずれか１つの風路に、吸音又は防音部材を設けるようにしてもよく、このようにすれば、例えばトイレ換気時の騒音値を下げることが可能になり、入浴中にトイレＣの換気運転を行っても、送風による騒音が小さく快適な入浴が可能になる。
【００８０】
また、循環風路２２に配設した加熱手段の代わりに、除湿剤、除湿装置等を設けて浴室Ａ内の洗濯物等の乾燥等が行えるようにしてもよい。
【図面の簡単な説明】
【図１】本発明の一実施形態に係る浴室換気装置の設置例を示す平面図である。
【図２】本発明の浴室換気装置の第１実施例を示す断面図である。
【図３】本発明の浴室換気装置の第１実施例を示す平面図である。
【図４】第１実施例の変形例を示す断面図である。
【図５】シャッターユニットを拡大して示す斜視図である。
【図６】本発明の浴室乾燥装置の駆動回路を示すブロック図である。
【図７】本発明の浴室換気装置の第２実施例を示す断面図である。
【図８】本発明の浴室換気装置の第３実施例を示す断面図である。
【符号の説明】
Ａ…浴室
Ｂ…洗面所
Ｃ…トイレ
１…本体
２…第１モータ
３…第１送風機
４…第２モータ
５…第２送風機
６…第３モータ
７…第３送風機
８…第１吸気口
９…第２吸気口
１１…化粧パネル
１２…第１送風ファン
１３…第２送風ファン
１４…第３送風ファン
１８…第１の排気風路
１９…第２の排気風路
２１…第４吸気口
２２…循環風路
２３…第３吸気口
３１…第１排気口
３２…第２排気口
４０…排気ダクト
４１、４３…リモコン
５０…ヒーター
５１…吹出し口
６０、６１…シャッター（開閉手段）
６３…制御部
７０、９０…ダンパー（風路選択手段）
【図１】
0004304402.tif 000002
【図２】
0004304402.tif 000003
【図３】
0004304402.tif 000004
【図４】
0004304402.tif 000005
【図５】
0004304402.tif 000006
【図６】
0004304402.tif 000007
【図７】
0004304402.tif 000008
【図８】
0004304402.tif 000009